(57)【要約】【課題】部品装着部の上面側にバスバ挿入溝を設けることなく、バスバを上面側からブロック内に挿入することができる電気接続箱を提供する。【解決手段】電気接続箱１０は、ブロック１とバスバ５を有している。ブロック１には、上面１ａからボルト４の軸部が突出したボルト取付部１１と、上面１ａ側に開口し、ヒューズが装着される部品装着部１２が設けられている。ブロック１は、ボルト取付部１１を有するブロック本体部２と、部品装着部１２を有するブロック別体部３とに分割されている。ブロック本体部２には、その上面から凹に形成されたバスバ挿入溝１５が設けられている。バスバ５は、ボルト取付部１１に位置付けられてボルト４の軸部が貫通する電源入力部６１と、部品装着部１２に位置付けられてヒューズと接続される部品接続部７と、連結部６０を有している。バスバ５は、ブロック本体部２とブロック別体部３に挟まれている。【選択図】図５
2014011929.tif 000002
【特許請求の範囲】
【請求項１】
ブロックと、該ブロックに組み付けられるバスバと、を有する電気接続箱において、
前記ブロックには、上面からボルトの軸部が突出したボルト取付部と、上面側に開口し、電子部品が装着される部品装着部と、が設けられ、
前記ブロックが、前記ボルト取付部を有し、一体成形されたブロック本体部と、前記部品装着部を有するブロック別体部と、に上下に分割されており、
前記ブロック本体部には、その上面から凹に形成され、前記バスバが挿入されるバスバ挿入溝が設けられ、
前記バスバが、前記ボルト取付部に位置付けられるとともに前記ボルトの軸部が貫通する電源入力部と、前記部品装着部に位置付けられて前記電子部品と接続される部品接続部と、前記電源入力部と前記部品接続部とを連結する連結部と、を有し、
前記バスバが、前記ブロック本体部と前記ブロック別体部とに上下から挟まれている
ことを特徴とする電気接続箱。
【請求項２】
前記ブロック別体部が、前記部品装着部を複数有し、該部品装着部にヒューズが装着され、音叉形状に形成された前記部品接続部が前記ヒューズと接続される
ことを特徴とする請求項１に記載の電気接続箱。
【請求項３】
前記バスバは、前記連結部と前記部品接続部とが別体で形成されているとともに着脱可能に形成されている
ことを特徴とする請求項１または請求項２に記載の電気接続箱。
【発明の詳細な説明】
【技術分野】
【０００１】
本発明は、上面からボルトが突出したブロックと、金属板で構成されたバスバとを有する電気接続箱に関するものである。
【背景技術】
【０００２】
自動車には多種多様な電子機器が搭載されている。これら多種多様な電子機器に電力供給や信号伝送を行うために、前記自動車には、電気接続箱が搭載されている。
【０００３】
図９は従来の電気接続箱の分解図である。この電気接続箱２０１は、合成樹脂製のブロック２１０と、このブロック２１０に組み付けられるバスバ２２０及びボルトブロック２３０を備えている。
【０００４】
上記ブロック２１０は、その上面にヒューズ及びヒュージブルリンクを装着するための部品装着部２１３，２１４が設けられており、両部品装着部２１３，２１４間には、開口部２１５が設けられている。
【０００５】
上記バスバ２２０は、上記各部品装着部２１３，２１４に電力を供給するためのものであり、その上端には各部品装着部２１３，２１４に挿入される端子群２２１，２２２が設けられている。また、このバスバ２２０には、上記開口部２１５に対応する位置に、電源線に接続された端子と重ねられて該端子と電気接続される端子接続部２２３が設けられている。この端子接続部２２３は、板状に形成されており、後述するボルトブロック２３０のボルト２３１が通されるボルト挿通孔２２３ａが設けられている。
【０００６】
上記ボルトブロック２３０は、その上面から突出するボルト２３１を備えた合成樹脂製のブロック状のものであり、その側面にブロック２１０の内面に係止する係止部２４０ｂが設けられている。このボルトブロック２３０は、矢印で示すようにブロック２１０に組み付けられることにより、ボルト２３１がバスバ２２０のボルト挿通孔２２３ａを通された状態で、ブロック２１０の上面から突出する。また、ブロック２１０の内面には、ボルトブロック２３０の係止部２４０ｂと係止する係止ロック（不図示）が設けられている。
【０００７】
この電気接続箱２０１においては、電源線に接続された端子が開口部２１５から露出した端子接続部２２３に重ねられ、ボルト２３１にナットが螺合されることにより、前記端子がブロック２１０に固定されるとともに前記端子とバスバ２２０との電気接続状態が維持される（特許文献１を参照。）。
【先行技術文献】
【特許文献】
【０００８】
【特許文献１】特開平６−２７６６４８号公報
【発明の概要】
【発明が解決しようとする課題】
【０００９】
しかしながら、上述した電気接続箱２０１においては、バスバ２２０を下面側からブロック２１０内に挿入する構造であるがゆえに、ボルト挿通孔２２３ａにボルト２３１を通すために、ボルトブロック２３０をブロック２１０と別体で形成しなければならないという問題があった。さらに、ボルトブロック２３０やバスバ２２０がブロック２１０から脱落するおそれがあるという問題があった。
【００１０】
なお、上記問題を回避するために、バスバ２２０を上面側からブロック２１０内に挿入する構造に変更する場合、部品装着部２１３，２１４の外壁等をスリット状に切り欠いてバスバ挿入溝を形成しなければならず、このバスバ挿入溝から部品装着部２１３，２１４内に異物が進入するおそれがあるという問題があった。
【００１１】
したがって、本発明は、部品装着部の上面側にバスバ挿入溝を設けることなく、バスバを上面側からブロック内に挿入することができる電気接続箱を提供することを目的とする。
【課題を解決するための手段】
【００１２】
上記目的を達成するために請求項１に記載された発明は、ブロックと、該ブロックに組み付けられるバスバと、を有する電気接続箱において、前記ブロックには、上面からボルトの軸部が突出したボルト取付部と、上面側に開口し、電子部品が装着される部品装着部と、が設けられ、前記ブロックが、前記ボルト取付部を有し、一体成形されたブロック本体部と、前記部品装着部を有するブロック別体部と、に上下に分割されており、前記ブロック本体部には、その上面から凹に形成され、前記バスバが挿入されるバスバ挿入溝が設けられ、前記バスバが、前記ボルト取付部に位置付けられるとともに前記ボルトの軸部が貫通する電源入力部と、前記部品装着部に位置付けられて前記電子部品と接続される部品接続部と、前記電源入力部と前記部品接続部とを連結する連結部と、を有し、前記バスバが、前記ブロック本体部と前記ブロック別体部とに上下から挟まれていることを特徴とする電気接続箱である。
【００１３】
請求項２に記載された発明は、請求項１に記載された発明において、前記ブロック別体部が、前記部品装着部を複数有し、該部品装着部にヒューズが装着され、音叉形状に形成された前記部品接続部が前記ヒューズと接続されることを特徴とするものである。
【００１４】
請求項３に記載された発明は、請求項１または請求項２に記載された発明において、前記バスバは、前記連結部と前記部品接続部とが別体で形成されているとともに着脱可能に形成されていることを特徴とするものである。
【発明の効果】
【００１５】
請求項１，２に記載された発明によれば、ブロックが、ボルト取付部を有するブロック本体部と部品装着部を有するブロック別体部とに上下に分割されているので、部品装着部の上面側にバスバ挿入溝を設けることなく、バスバを上面側からブロック内に挿入することができる電気接続箱を提供することができる。また、ブロック別体部を別の電気接続箱に流用することができる。
【００１６】
請求項３に記載された発明によれば、バスバの連結部と部品接続部とが別体で形成されているので、これらを製造する金型を単純化でき、金型費を下げることができる。また、使用する電子部品の数に合わせて部品接続部を連結部に取り付けることができ、バスバ全体のコストを下げることができる。
【図面の簡単な説明】
【００１７】
【図１】本発明の一実施形態にかかる電気接続箱の斜視図である。
【図２】図１に示された電気接続箱の平面図である。
【図３】図２中のＡ−Ａ線に沿った断面図である。
【図４】図２中のＢ−Ｂ線に沿った断面図である。
【図５】図１に示された電気接続箱の分解図である。
【図６】図５中のＣ−Ｃ線に沿った断面図である。
【図７】図１に示された電気接続箱を構成するバスバの斜視図である。
【図８】図７に示されたバスバの分解図である。
【図９】従来の電気接続箱の分解図である。
【発明を実施するための形態】
【００１８】
本発明の一実施形態にかかる「電気接続箱」を図１〜８を参照して説明する。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１９】
図１，２に示すように、上記電気接続箱１０は、ブロック１と、該ブロック１に組み付けられるバスバ５と、ブロック１に一体化されたボルト４と、リレー８、ヒューズ（不図示）等の複数の電子部品と、を有している。
【００２０】
上記ブロック１には、その上面１ａからボルト４の軸部が突出したボルト取付部１１と、上面１ａ側に開口し、上記電子部品が装着される部品装着部１２，１３，１４と、が設けられている。すなわち、本電気接続箱１０は、ブロック１の上面１ａ側にのみ部品装着部１２，１３，１４が設けられ、ブロック１の下面１ｂ側には部品装着部が設けられていないタイプの電気接続箱である。
【００２１】
上記ボルト取付部１１は、バスバ５と、電源ケーブルの端末に接続された丸端子とが、ボルト４及び図示しないナットによって共締め固定されて電気接続される部位である。
【００２２】
上記部品装着部１２，１３は、ヒューズが装着される部位であり、上記部品装着部１４は、リレー８が装着される部位である。部品装着部１２，１３はそれぞれ複数設けられており、一列に配列されている。また、複数の部品装着部１２は、互いに隣り合って配置されており、離間した部品装着部１３間に配置されている。また、部品装着部１２は、特許請求の範囲の「部品装着部」に相当する。
【００２３】
また、上記ブロック１は、ボルト取付部１１及び複数の部品装着部１３，１４を有し、合成樹脂により一体成形されたブロック本体部２と、複数の部品装着部１２を有し、合成樹脂により一体成形されたブロック別体部３と、に上下に分割されている。前記「上下」に関し、本発明では、ヒューズの部品装着部１２への装着方向のブロック別体部３側を「上」と定義し、ヒューズの部品装着部１２への装着方向のブロック本体部２側を「下」と定義する。
【００２４】
図５に示すように、上記ブロック本体部２には、その上面から凹に形成され、バスバ５が挿入されるバスバ挿入溝１５が設けられている。バスバ挿入溝１５は、ブロック本体部２の上面すなわちブロック１の上面１ａ側に開口しており、ブロック１の下面１ｂ側には開口していない。また、バスバ挿入溝１５は、図２に示すように、ブロック本体部２の一端に位置するボルト取付部１１からブロック本体部２の他端に位置する部品装着部１３に亘って、平面視Ｌ字状に形成されている。また、バスバ挿入溝１５は、部品装着部１３の外壁を切り欠いている。
【００２５】
さらに、上記ブロック本体部２には、離間した部品装着部１３間に形成された連結壁１７と、バスバ５に係止する係止部１８（図４に示す。）と、が設けられている。連結壁１７は、ブロック別体部３がブロック本体部２に組み付けられた状態でブロック別体部３の外側に位置する。係止部１８は、部品装着部１３の下方に設けられている。
【００２６】
上記ブロック別体部３は、図３〜６に示すように、外形がブロック状に形成されている。ブロック別体部３の外表面には、ブロック本体部２に係止する係止突起３１が複数設けられている。このブロック別体部３は、離間した部品装着部１３間の空間に嵌め込まれる。また、ブロック別体部３には、その下面から凹に形成され、バスバ５が挿入されるバスバ挿入溝１６が設けられている。バスバ挿入溝１６は、その下面側に開口しており、上面側には開口していない。また、このバスバ挿入溝１６は、図３に示すように、ブロック別体部３がブロック本体部２に組み付けられた状態で、ブロック１の内部に位置し、外部には露出しない。
【００２７】
上記バスバ５は、金属板にプレス加工等が施されて得られる配線部材である。バスバ５は、図７，８に示すように、ボルト取付部１１に位置付けられるとともにボルト４の軸部が通される貫通孔６５が設けられた電源入力部６１と、各部品装着部１２に位置付けられて各ヒューズと電気接続される複数の部品接続部７と、各部品装着部１３に位置付けられて各ヒューズと電気接続される複数の部品接続部６２と、電源入力部６１と部品接続部７，６２とを連結する連結部６０と、を有している。
【００２８】
また、上記バスバ５は、連結部６０と部品接続部７とが別体で形成されているとともに着脱可能に形成されている。連結部６０と電源入力部６１と部品接続部６２とは一体で形成されている。これに符号６を付し、「バスバ本体」と呼ぶ。また、部品接続部７は、特許請求の範囲の「部品接続部」に相当する。
【００２９】
上記連結部６０は、水平方向に帯状に延びており、一箇所で直角に曲げられている。この連結部６０には、ブロック本体部２に設けられた上記係止部１８が係止する係止孔６４が設けられている。上記電源入力部６１は、連結部６０の長手方向一端における上端において直角に折り曲げられて形成されている。上記部品接続部６２は、連結部６０の上端から延長されて形成されている。部品接続部６２は、長方形の板状に形成されている。また、連結部６０の上端における、離間した部品接続部６２間の部分には、部品接続部７が差し込まれるスリット６３が複数設けられている。
【００３０】
上記部品接続部７は、ヒューズの端子部が差し込まれるスリット７２が設けられた音叉状接続部７１と、連結部６０の上端部分が差し込まれるスリット７４が設けられた差込部７３と、を有している。音叉状接続部７１と差込部７３との中間部は、９０度捻られている。このような部品接続部７は、スリット７４に連結部６０が差し込まれるとともに、連結部６０側のスリット６３に差込部７３が差し込まれることにより、連結部６０すなわちバスバ本体６に取り付けられる。
【００３１】
続いて、電気接続箱１０の組み立て方法を説明する。また、組み立てる前に、ブロック本体部２、ブロック別体部３、バスバ本体６、部品接続部７を製造しておく。また、本実施形態では、ボルト４は、インサート成形によりブロック本体部２に一体化されている。
【００３２】
まず、複数の部品接続部７をバスバ本体６に取り付ける。次に、完成品のバスバ５を、上面１ａ側からバスバ挿入溝１５内に挿入し、該バスバ５をブロック本体部２に組み付ける。また、バスバ５をバスバ挿入溝１５内に挿入する動作によって、ボルト４の軸部が電源入力部６１の貫通孔６５に通され、電源入力部６１がボルト取付部１１の上面に位置付けられる。
【００３３】
そして、ブロック別体部３を、上面１ａ側から、離間した部品装着部１３間の空間に嵌め込み、ブロック本体部２に組み付ける。また、ブロック別体部３をブロック本体部２に組み付ける動作によって、ブロック別体部３のバスバ挿入溝１６内にバスバ５の連結部６０が進入する。すなわち、バスバ５は、ブロック本体部２とブロック別体部３とに上下から挟まれる。
【００３４】
そして、部品装着部１２，１３，１４に電子部品を装着し、電源ケーブルの端末に接続された丸端子をボルト取付部１１において電源入力部６１に接続固定する。具体的には、丸端子の貫通孔にボルト４の軸部を通し、電源入力部６１と丸端子とを重ねた状態で、ボルト４の軸部にナットを螺合させる。このような作業を経て電気接続箱１０が組立てられる。
【００３５】
上述した電気接続箱１０においては、電源ケーブルの端末に接続された丸端子を介して電源入力部６１に入力された電源が、複数の部品接続部７，６２に分岐され、部品装着部１２，１３に装着された各ヒューズに分配される。
【００３６】
このような電気接続箱１０によれば、ブロック１が、ボルト取付部１１を有するブロック本体部２と部品装着部１２を有するブロック別体部３とに上下に分割されているので、部品装着部１２の上面側にバスバ挿入溝を設けることなく、バスバ５を上面１ａ側からブロック１内に挿入することができる。よって、部品装着部１２内に異物や水、埃等が浸入することを防止でき、部品装着部１２内の音叉状接続部７１を保護することができる。また、バスバ５がブロック本体部２とブロック別体部３とに上下から挟まれるので、該バスバ５がブロック１から脱落することがない。さらに、ブロック別体部３を別の電気接続箱に流用することができる。
【００３７】
また、電気接続箱１０によれば、バスバ５の連結部６０と部品接続部７とが別体で形成されているので、これらを製造する金型を単純化でき、金型費を下げることができる。また、使用するヒューズの数に合わせて部品接続部７を連結部６０に取り付けることができ、バスバ５全体のコストを下げることができる。
【００３８】
また、電気接続箱１０によれば、部品接続部７の中間部が９０度捻られているので、少量の材料で当該部品接続部７を形成でき、また、設置スペースを取らない。
【００３９】
また、上述した実施形態では、バスバ５の連結部６０と部品接続部７とが別体で形成されていたが、本発明においては、バスバ５の連結部６０と部品接続部７とが一体で形成されていても良い。
【００４０】
また、上述した実施形態では、部品装着部１２にヒューズが装着される構成であったが、本発明においては、前記部品装着部にヒューズ以外の電子部品が装着される構成であっても良い。
【００４１】
また、上述した実施形態では、ブロック別体部３が複数の部品装着部１２を有していたが、本発明においては、前記ブロック別体部が前記部品装着部を少なくとも１つ有していれば良い。
【００４２】
また、上述した実施形態では、バスバ５の電源入力部６１に電源ケーブルの端末に接続された丸端子が電気接続される構成であったが、本発明においては、バスバ５の電源入力部６１に、別のバスバが電気接続される構成であっても良い。
【００４３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
１  ブロック
２  ブロック本体部
３  ブロック別体部
４  ボルト
５  バスバ
７  部品接続部
１０  電気接続箱
１１  ボルト取付部
１２  部品装着部
１５  バスバ挿入溝
６０  連結部
６１  電源入力部
【図１】
2014011929.tif 000003
【図２】
2014011929.tif 000004
【図３】
2014011929.tif 000005
【図４】
2014011929.tif 000006
【図５】
2014011929.tif 000007
【図６】
2014011929.tif 000008
【図７】
2014011929.tif 000009
【図８】
2014011929.tif 000010
【図９】
2014011929.tif 000011